(57)【要約】【課題】回路構成が簡略化でき、低コストのインターホンシステムを実現する。【解決手段】インターホン親機と、このインターホン親機と接続されインターホン親機から電源供給を受けてインターホン親機とデータ通信を行う付属装置とからなり、インターホン親機は、付属装置への電流消費量を検出することにより付属装置からのデータを受信する親機データ受信回路を備え、付属装置はインターホン親機から供給される電源の電流消費量を変化させることによりインターホン親機にデータを送信する付属データ送信回路を備えている。また、インターホン親機は、付属装置への電源供給を電圧値を変化させることにより付属装置へデータを送信する親機データ送信回路を備え、付属装置はインターホン親機から送られてくるデータを電圧にて検出する付属データ受信回路を備えている。【選択図】図１
2007060409.tif 000002
【特許請求の範囲】
【請求項１】
住戸内に設置されたインターホン親機（１００）と、前記インターホン親機と接続され前記インターホン親機から電源供給を受けて前記インターホン親機とデータ通信を行う付属装置（２００）とを備え、
前記インターホン親機は、前記付属装置へ電源を供給する親機電源回路（１０４）と、前記付属装置への電流消費量を検出することにより前記付属装置からのデータを受信する親機データ受信回路（１０１）と、前記インターホン親機内の各回路（１０１、１０２、１０４）の制御及び前記付属装置から受信したデータを処理する制御ＣＰＵ（１０３）を備え、
前記付属装置は、前記インターホン親機から供給される電源の電流消費量を変化させることにより前記インターホン親機にデータを送信する付属データ送信回路（２０２）と、前記インターホン親機から電源の供給を受けて充電し、前記付属装置がデータを送信するとき前記インターホン親機から供給される電源の電流消費量を変化させている間で前記付属装置内の各回路（２０１、２０２、２０４、２０５）に電源を供給する付属装置電源回路（２０３）と、前記付属回路の各回路（２０１、２０２）の制御及び前記インターホン親機へ送信するデータを生成する制御部（２０５）を備えることを特徴とするインターホンシステム。
【請求項２】
住戸内に設置されたインターホン親機（１００）と、前記インターホン親機と接続され前記インターホン親機から電源供給を受けて前記インターホン親機とデータ通信を行う付属装置（２００）とを備え、
前記インターホン親機は、前記付属装置へ電源を供給する親機電源回路（１０４）と、前記付属装置への電源供給を電圧値を変化させることにより前記付属装置へデータを送信する親機データ送信回路（１０２）と、前記インターホン親機の各回路（１０１、１０２、１０４）の制御及び前記付属装置へ送信するデータを生成する制御ＣＰＵ（１０３）を備え、
前記付属装置は、前記インターホン親機から送られてくるデータを電圧にて検出する付属データ受信回路（２０１）と、前記インターホン親機から電源の供給を受けて充電し、前記インターホン親機から電源の電圧によりデータが送られてきたとき前記付属装置への電源供給の電圧値を変化させている間で前記付属装置の各回路（２０１、２０２、２０４、２０５）に電源供給する付属装置電源回路（２０３）と、前記付属回路の各回路（２０１、２０２）の制御及び前記インターホン親機から受信したデータを処理する制御部（２０５）を備えることを特徴としたインターホンシステム。
【請求項３】
前記インターホン親機及び前記付属装置間のデータは前記電源供給の電流消費量もしくは電圧値を変化させている時間に対応してパルス幅を変化させることを特徴とする請求項１又は請求項２記載のインターホンシステム。
【請求項４】
前記インターホン親機及び前記付属装置間のデータはシリアル通信にて通信を行うことを特徴とする請求項１又は請求項２記載のインターホンシステム。
【請求項５】
前記インターホン親機及び前記付属装置間のデータはパルスカウント可能なものであって、パルスの数に応じて動作することを特徴とする請求項１又は請求項２記載のインターホンシステム。
【請求項６】
前記付属装置はセンサー、呼出ボタン、切替装置、移報装置等の通信端末周辺機器であることを特徴とする請求項１又は請求項２記載のインターホンシステム。
【請求項７】
前記インターホン親機は集合住宅の各居室に設置されるインターホン親機であることを特徴とする請求項１又は請求項２記載のインターホンシステム。
【請求項８】
前記付属装置は集合住宅の各居室に設置される前記インターホン親機と通信を行い、通話路を切替えるものであることを特徴とする請求項１又は請求項２記載のインターホンシステム。
【請求項９】
前記付属装置は集合住宅の各居室に設置される前記インターホン親機と通信を行い、映像路を切替えるものであることを特徴とする請求項１又は請求項２記載のインターホンシステム。
【請求項１０】
前記インターホン親機と前記付属装置間の通信は双方向であることを特徴とする請求項１又は請求項２記載のインターホンシステム。
【発明の詳細な説明】
【技術分野】
【０００１】
本発明は、インターホンシステムに係わり、特にインターホン親機と付属装置で構成され、インターホン親機は付属装置へ電源供給を行い、かつデータ通信を行なうことを可能とするインターホンシステムに関する。
【背景技術】
【０００２】
従来から、インターホン親機とセンサー、切替装置のような付属装置で構成され、インターホン親機（居室親機）と付属装置（玄関機）が伝送線(共通バス)で接続され、この伝送線でインターホン親機は付属装置へ電源供給を行い、かつデータ通信を可能とするインターホンシステムが知られている（例えば、特許文献１参照）。
【０００３】
また、同様にインターホン親機と付属装置で構成され、インターホン親機と付属装置が伝送線で接続され、この伝送線でインターホン親機は付属装置へ電源供給を行い、かつデータ通信を可能とするインターホンシステムとして図２に示すようなインターホンシステムが知られている。
【０００４】
図２において、インターホン親機５００は、例えばセンサー、呼出ボタン、切替装置、移報装置等の通信端末周辺機器のような付属装置６００に電源供給を行う電源回路５０１と、付属装置６００と接続された配線に電源を重畳する電源重畳回路５０２と、付属装置から送信された変調データ信号を受信し復調する変調データ信号復調回路５０６と、付属装置６００へ送信するデータを生成し、また付属装置６００から受信したデータを処理する制御ＣＰＵ５０３と、制御ＣＰＵ５０３で生成したデータを電源に重畳できるように変調するデータ変調回路５０４と、変調されたデータを電源に重畳する変調データ信号重畳回路５０５とを備えている。
【０００５】
また、付属装置６００は、インターホン親機５００から供給された電源を受けて動作する付属回路６０１と、付属回路６０１のインピーダンスにより、インターホン親機５００から送られてきた変調データ信号のレベルが下がらないようにするインピーダンスアッパー回路６０２と、インターホン親機５００から送信された変調データ信号を受信し復調する変調データ信号復調回路６０６と、インターホン親機５００へ送信するデータを生成し、また、インターホン親機５００から受信したデータを処理する制御ＣＰＵ６０３と、制御ＣＰＵ６０３で生成したデータを電源に重畳できるように変調するデータ変調回路６０４と、変調されたデータを電源に重畳する変調データ信号重畳回路６０５とを備えている。
【０００６】
この様な図２に示す従来のインターホンシステムにおいて、インターホン親機は付属装置に電源回路５０１から電源を供給するが、変調データ信号に対し、電源回路のインピーダンスは通常低いため、電源重畳回路５０２にて、変調データ信号に対する電源回路のインピーダンスを高くし、変調データ信号に電源を重畳して、付属装置６００に電源を供給するようにしている。
【０００７】
また、付属装置へ送信するデータは制御ＣＰＵ５０３で生成するが、このまま電源に重畳することはできないため、データ変調回路５０４でデータを変調して、変調データ信号重畳回路にて、電源に対してデータ変調回路のインピーダンスを上げて、電源に変調データ信号を重畳するようにしている。
【０００８】
一方、付属装置６００から送信されてきた変調データ信号は、変調データ信号復調回路５０６にて復調し、制御ＣＰＵ５０３はデータを受信して処理するようにしている。
【０００９】
付属装置６００の付属回路６０１は、インターホン親機５００から供給された電源を受けて動作するが、付属回路６０１のインピーダンスが変調データ信号のレベルを下げてしまわないために、インピーダンスアッパー回路６０２にて、変調データ信号に対する付属回路６０１のインピーダンスを上げるようにしている。
【００１０】
そして、インターホン親機５００に送信するデータは制御ＣＰＵ６０３で生成するが、このまま電源に重畳することはできないため、データ変調回路６０４でデータを変調して、変調データ信号重畳回路６０５にて、電源に対してデータ変調回路のインピーダンスを上げて、電源に変調データ信号を重畳する。インターホン親機５００から送信されてきた変調データ信号は、変調データ信号復調回路６０６にて復調し、制御ＣＰＵ６０３でデータを受信して処理する。
【００１１】
【特許文献１】特開２００２−２４７２１７号公報
【発明の開示】
【発明が解決しようとする課題】
【００１２】
しかしながら、従来のインターホンシステムでは、インターホン親機から付属装置へ電源を供給し、かつコマンド等のデータ通信を行うために、インターホン親機及びセンサー、切替装置等の付属装置にデータ変調回路、変調データ信号重畳回路、電源重畳回路、変調データ信号復調回路、インピーダンスアッパー回路が必要となり、回路規模が大きくなり、複雑になり、またコストも高くなるという問題があった。
【００１３】
本発明は、この難点を解決するためになされたもので、インターホン親機から付属装置へ電源を供給し、かつデータ通信を行う際に、データ信号を変調することなく、また重畳回路やインピーダンスアッパー回路を無くすことにより、回路構成が簡略で回路規模が小さく、コストが低いシステムを提供することを目的とする。
【課題を解決するための手段】
【００１４】
本発明によるインターホンシステムは、まず第１の態様として、住戸内に設置されたインターホン親機と、インターホン親機と接続されインターホン親機から電源供給を受けてインターホン親機とデータ通信を行う付属装置とを備え、インターホン親機は、付属装置へ電源を供給する親機電源回路と、付属装置への電流消費量を検出することにより付属装置からのデータを受信する親機データ受信回路と、インターホン親機内の各回路の制御及び付属装置から受信したデータを処理する制御ＣＰＵを備え、付属装置は、インターホン親機から供給される電源の電流消費量を変化させることによりインターホン親機にデータを送信する付属データ送信回路と、インターホン親機から電源の供給を受けて充電し、付属装置がデータを送信するときインターホン親機から供給される電源の電流消費量を変化させている間で付属装置内の各回路に電源を供給する付属装置電源回路と、付属回路の各回路の制御及びインターホン親機へ送信するデータを生成する制御部を備えることを特徴とする。
【００１５】
また、第２の態様として、住戸内に設置されたインターホン親機と、インターホン親機と接続されインターホン親機から電源供給を受けてインターホン親機とデータ通信を行う付属装置とを備え、インターホン親機は、付属装置へ電源を供給する親機電源回路と、付属装置への電源供給を電圧値を変化させることにより付属装置へデータを送信する親機データ送信回路と、インターホン親機の各回路の制御及び付属装置へ送信するデータを生成する制御ＣＰＵを備え、付属装置は、インターホン親機から送られてくるデータを電圧にて検出する付属データ受信回路と、インターホン親機から電源の供給を受けて充電し、インターホン親機から電源の電圧によりデータが送られてきたとき付属装置への電源供給の電圧値を変化させている間で付属装置の各回路に電源供給する付属装置電源回路と、付属回路の各回路の制御及びインターホン親機から受信したデータを処理する制御部を備えることを特徴とする。
【００１６】
さらに、第３の態様として、第１又は第２の態様において、インターホン親機及び付属装置間のデータは電源供給の電流消費量もしくは電圧値を変化させている時間に対応してパルス幅を変化させることを特徴とする。
【００１７】
また、第４の態様として、第１又は第２の態様において、インターホン親機及び付属装置間のデータはシリアル通信にて通信を行うことを特徴とする。
【００１８】
さらに、第５の態様として、第１又は第２の態様において、インターホン親機及び付属装置間のデータはパルスカウント可能なものであって、パルスの数に応じて動作することを特徴とする。
【００１９】
また、第６の態様として、第１又は第２の態様において、付属装置はセンサー、呼出ボタン、切替装置、移報装置等の通信端末周辺機器であることを特徴とする。
【００２０】
さらに、第７の態様として、第１又は第２の態様において、インターホン親機は集合住宅の各居室に設置されるインターホン親機であることを特徴とする。
【００２１】
また、第８の態様として、第１又は第２の態様において、付属装置は集合住宅の各居室に設置されるインターホン親機と通信を行い、通話路を切替えるものであることを特徴とする。
【００２２】
さらに、第９の態様として、第１又は第２の態様において、付属装置は集合住宅の各居室に設置されるインターホン親機と通信を行い、映像路を切替えるものであることを特徴とする。
【００２３】
また、第１０の態様として、第１又は第２の態様において、インターホン親機と付属装置間の通信は双方向であることを特徴とする。
【発明の効果】
【００２４】
本発明の第１及び第２の態様によれば、付属装置からインターホン親機へデータを送信する際に、インターホン親機から供給される電源の電流消費量を変化させてデータを送信したり、インターホン親機から付属装置へデータを送信する際に、付属装置への電源供給を電圧値を変化させてデータを送信するので、データ信号の変調や復調の必要がなく、回路構成が簡略で回路規模も小さい低コストのインターホンシステムを実現できる。
【００２５】
また、本発明の第３乃至第５の態様によれば、インターホン親機及び付属装置間のデータは、電源供給の電流消費量もしくは電圧値を変化させている時間に対応してパルス幅を変化させたり、シリアル通信にて通信を行うようにしたり、パルスカウント可能なものであって、パルスの数に応じて動作するようにするので、付属装置に必要な電力量を確保しつつ複雑な情報を送信することができ、また目的に応じて最も適した通信方法を選択することができる。
【００２６】
さらに、本発明の第６の態様によれば、付属装置はセンサー、呼出ボタン、切替装置、移報装置等の通信端末周辺機器を選択することができるので、様々な種類の装置を用途に応じて接続することができる。
【００２７】
また、本発明の第７の態様によれば、戸建て住宅ばかりではなく集合住宅システムにおいても適用することができ、汎用性が高い。
【００２８】
さらに、本発明の第８及び第９の態様によれば、集合住宅の各居室に設置されるインターホン親機と集合玄関機との通信において、複数の通話路や映像路を付属装置により切替えることができるので、回路構成が簡略化され、低コストのシステムが実現できる。
【００２９】
また、本発明の第１０の態様によれば、インターホン親機と付属装置間の通信を双方向とすることにより、上記した第１及び第２の態様の動作を同時に行なうことができる。
【発明を実施するための最良の形態】
【００３０】
以下、本発明のインターホンシステムの好ましい実施の形態例について図面を参照して説明する。
【００３１】
まず本発明のインターホンシステムは図１に示すように、インターホン親機１００と付属装置２００とから構成されている。インターホン親機１００は付属装置２００からのデータを受信する親機データ受信回路１０１、インターホン親機１００から付属装置２００へデータを送信する親機データ送信回路１０２、データを生成、処理し、インターホン親機１００内の各回路（１０１、１０２、１０４）を制御する制御ＣＰＵ１０３及びインターホン親機内の各回路（１０１、１０２、１０３）及び付属装置２００へ電源を供給する親機電源回路１０４とからなっている。
【００３２】
また、付属装置２００はインターホン親機１００からのデータを受信する付属データ受信回路２０１、付属装置２００からインターホン親機１００へデータを送信する付属データ送信回路２０２、インターホン親機１００から供給を受け付属装置２００内の各回路（２０１、２０２、２０４、２０５）に電源を供給する付属装置電源回路２０３、センサー、呼出ボタン、切替装置、移報装置等の通信端末周辺機器の機能を有する付属装置内回路２０４及びデータを生成、処理し、付属装置２００内の各回路（２０１、２０２）を制御する制御部２０５からなっている。
【００３３】
このような構成のインターホン親機１００及び付属装置２００の各回路の接続関係を説明すると、まずインターホン親機１００においては、親機データ受信回路１０１及び親機データ送信回路１０２はそれぞれ制御ＣＰＵ１０３と接続されており、これらの親機データ受信回路１０１及び親機データ送信回路１０２はそれぞれ伝送線Ｌを介して付属装置２００と接続されている。また、親機電源回路１０４はインターホン親機１００内の各回路に電源を供給するように接続されているとともに伝送線Ｌにより付属装置２００と接続され付属装置２００へ電源が供給されるようになっている。
【００３４】
一方、付属装置２００においては、付属データ受信回路２０１及び付属データ送信回路２０２がそれぞれ制御部２０５と接続されており、付属データ受信回路２０１は付属装置内回路２０４と接続されている。また、付属装置電源回路２０３は伝送線Ｌを介して親機電源回路１０４に接続されている。
【００３５】
このように構成されたインターホンシステムにおいて、付属装置２００への電源供給はインターホン親機１００の親機電源回路１０４から行われ、付属装置電源回路２０３に充電を行う。付属装置２００からインターホン親機１００にデータを送信する場合、付属装置２００は制御部２０５にてインターホン親機１００に送信するデータを生成するとともにこの制御部２０５からの指令により、付属データ送信回路２０２でインターホン親機１００の親機電源回路１０４から供給される電源を断続的に遮断することで電流消費量を変化させてデータを送信する。インターホン親機１００は親機データ受信回路１０１で付属装置２００への電流消費量の変化を検出してデータを受信し、制御ＣＰＵ１０３にてこのデータを処理する。なお、付属装置２００がデータを送信するためにインターホン親機１００から供給される電源を遮断している間、付属装置内回路２０４への電源供給は付属装置電源回路２０３にて行う。
【００３６】
また、本発明のインターホンシステムにおいてインターホン親機１００から付属装置２００にデータを送信する場合は、付属装置２００への電源供給はインターホン親機１００の親機電源回路１０４から行われ、付属装置２００の付属装置電源回路２０３に充電を行うことは上記した実施の形態と同様であるが、インターホン親機１００は制御ＣＰＵ１０３にて付属装置２００に送信するデータを生成するとともに、親機データ送信回路１０２で付属装置２００へ供給する電源の電圧値を変化させることでデータを送信する。付属装置２００は付属データ受信回路でインターホン親機１００から送られてくるデータを電圧にて検出し、制御部２０５にてこのデータを処理する。この場合、親機データ送信回路１０２で付属装置２００へ供給する電源を断続的に遮断してデータを送信してもよい。即ち、電圧値の変化を信号としてもよく、また電源供給の遮断を信号としてもよい。なお、電源供給を遮断する場合、インターホン親機１００がデータを送信するために付属装置２００へ供給する電源を遮断している間、付属装置内回路２０４への電源供給は付属装置電源回路２０３にて行う。
【００３７】
以上のような動作が行なわれる本発明のインターホンシステムにおいては、インターホン親機１００と付属装置２００間のデータは、パルス幅(電源供給を遮断している時間)を変化させて通信するようにしてもよく、シリアル通信にて行うようにしてもよい。また、パルスカウントとし、パルスの数に応じて動作するようにしてもよい。このように構成することにより付属装置に必要な電力量を確保しつつ複雑な情報を送信することができるとともに、本システムの目的に応じて最も適した通信方法を選択することができる。
【００３８】
また、本発明のインターホンシステムにおいては、付属装置は例えば火災警報センサー、防犯センサー、ガス漏れセンサー等のセンサー類、玄関子機や個人識別装置に取り付けられている呼出ボタン類、複数の通話路や映像路の切替え、あるいは各センサー類の感度の切替え等を可能にした切替装置類、火災や防犯、ガス漏れ等の情報を管理センター、警備会社等に通報する移報装置類など様々な用途に適用することができるので汎用性が高い。
【００３９】
さらに、本発明のインターホンシステムにおいては、インターホン親機は戸建て住宅用のみならず集合住宅の居室に設置されるインターホン親機として適用することができる。
【００４０】
また、本発明のインターホンシステムにおいては、インターホン親機は集合住宅の居室に設置されるインターホン親機で、付属装置はインターホン親機と通信を行い、複数の通話路を切り替える機能を有するような装置であってもよい。
【００４１】
さらに、本発明のインターホンシステムにおいては、インターホン親機は集合住宅の居室に設置されるインターホン親機で、付属装置はインターホン親機と通信を行い、複数の映像路を切り替える機能を有するような装置であってもよい。
【００４２】
このように、複数の通話路や映像路を切替える機能を有する場合、例えば、インターホン親機１台、集合玄関機３台、通話路３線、映像路３線で構成されるインターホンシステムにおいては、インターホン親機からの制御信号を受け取り、それぞれ３線の通話路、映像路の切替を切替専用の付属装置１台により行なうことができるので、回路構成が簡略となり、コスト低減に効果を奏することとなる。
【００４３】
また、本発明のインターホンシステムにおいては、インターホン親機と付属装置間の通信は双方向の機能を有するようにして、インターホン親機と付属装置間の通信を同時に行なえるようにしてもよい。
【００４４】
以上説明したように、本発明はインターホン親機から付属装置へ電源を供給し、かつデータ通信を行うに当たって、データ信号を変調することなく、また重畳回路やインピーダンスアッパー回路を無くすことにより、回路規模が小さく、コストが低いインターホンシステムを実現することができる。
【００４５】
なお、本発明は本発明の趣旨に適うならば様々な形態が考えられるため、上記した実施の形態に限定されるものではない。
【図面の簡単な説明】
【００４６】
【図１】本発明のインターホンシステムの一実施の形態を説明するブロック図である。
【図２】従来のインターホンシステムを説明するブロック図である。
【符号の説明】
【００４７】
１００    インターホン親機
１０１    親機データ受信回路
１０２    親機データ送信回路
１０３    制御ＣＰＵ
１０４    親機電源回路
２００    付属装置
２０１    付属データ受信回路
２０２    付属データ送信回路
２０３    付属装置電源回路
２０４    付属装置内回路
２０５    制御部
【図１】
2007060409.tif 000003
【図２】
2007060409.tif 000004